【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
記憶媒体にアクセスするためのアクセス部と、
第１の画像群の中から、画像を選択する画像選択部と、
前記画像選択部が選択した画像に応じた画像差替条件を満たす画像が、前記記憶媒体が記憶する第２の画像群の中にあるか否かを判定し、前記画像差替条件を満たす画像があると判定したときは、前記第２の画像群の中にある画像を出力し、前記画像差替条件を満たす画像がないと判定したときは、前記画像選択部が選択した画像を出力する条件判定部と、
前記条件判定部が出力した画像を表示させる表示処理部と
を具備することを特徴とする情報処理装置。
【請求項２】
前記条件判定部の判定における前記画像差替条件は、前記画像差替条件を満たすかどうかの判定対象である画像を撮像した位置が所定の範囲内であることを特徴とする請求項１に記載の情報処理装置。
【請求項３】
被写体を撮像して、画像を生成する撮像部と、
当該情報処理装置の位置を検出する位置検出部と、
前記撮像部が生成した画像と、該画像を撮像した位置として、前記位置検出部が検出した位置とを対応付けて、前記記憶媒体に記憶させて、前記第２の画像群に画像を加える撮像処理部と
を備えることを特徴とする請求項２に記載の情報処理装置。
【請求項４】
前記条件判定部は、前記撮像部が被写体を撮像して画像を生成すると、該撮像前に前記表示処理部が表示させていた画像に応じた画像差替条件を、前記撮像部が生成した画像が満たすか否かを判定し、満たすと判定したときは、前記撮像部が生成した画像を出力することを特徴とする請求項３に記載の情報処理装置。
【請求項５】
前記条件判定部が前記画像差替条件を満たす画像があると判定したときに出力する画像は、前記画像差替条件を満たす画像であることを特徴とする請求項１から請求項３のいずれかの項に記載の情報処理装置。
【請求項６】
前記条件判定部が前記画像差替条件を満たす画像があると判定したときに出力する画像は、前記画像選択が選択した画像に予め対応付けられた画像であることを特徴とする請求項１から請求項３のいずれかの項に記載の情報処理装置。
【請求項７】
記憶媒体にアクセスするためのアクセス部を備える情報処理装置のコンピュータを、
第１の画像群の中から、画像を選択する画像選択部、
前記画像選択部が選択した画像に応じた画像差替条件を満たす画像が、前記記憶媒体が記憶する第２の画像群の中にあるか否かを判定し、前記画像差替条件を満たす画像があると判定したときは、前記第２の画像群の中にある画像を出力し、前記画像差替条件を満たす画像がないと判定したときは、前記画像選択部が選択した画像を出力する条件判定部、
前記条件判定部が出力した画像を表示させる表示処理部
として機能させるためのプログラム。
【請求項８】
記憶媒体にアクセスするためのアクセス部を備える情報処理装置における画像表示方法であって、
前記情報処理装置が、第１の画像群の中から、画像を選択する第１の過程と、
前記情報処理装置が、前記第１の過程にて選択した画像に応じた画像差替条件を満たす画像が、前記記憶媒体が記憶する第２の画像群の中にあるか否かを判定し、前記画像差替条件を満たす画像があると判定したときは、前記第２の画像群の中にある画像を出力し、
前記画像差替条件を満たす画像がないと判定したときは、前記第１の過程にて選択した画像を出力する第２の過程と、
前記情報処理装置が、前記第２の過程が出力した画像を表示させる第３の過程と
を備えることを特徴とする画像出力方法。
【手続補正２】
【補正対象書類名】明細書
【補正対象項目名】０００９
【補正方法】変更
【補正の内容】
【０００９】
（１）この発明は上述した課題を解決するためになされたもので、本発明の情報処理装置は、記憶媒体にアクセスするためのアクセス部と、第１の画像群の中から、画像を選択する画像選択部と、前記画像選択部が選択した画像に応じた画像差替条件を満たす画像が、前記記憶媒体が記憶する第２の画像群の中にあるか否かを判定し、前記画像差替条件を満たす画像があると判定したときは、前記第２の画像群の中にある画像を出力し、前記条件を満たす画像がないと判定したときは、前記画像選択部が選択した画像を出力する条件判定部と、前記条件判定部が出力した画像を表示させる表示処理部とを具備することを特徴とする。
【手続補正３】
【補正対象書類名】明細書
【補正対象項目名】００１３
【補正方法】変更
【補正の内容】
【００１３】
（５）また、この発明の情報処理装置は、上述のいずれかの情報処理装置であって、前記条件判定部が前記画像差替条件を満たす画像があると判定したときに出力する画像は、前記画像差替条件を満たす画像であることを特徴とする。
【手続補正４】
【補正対象書類名】明細書
【補正対象項目名】００１４
【補正方法】変更
【補正の内容】
【００１４】
（６）また、この発明の情報処理装置は、上述のいずれかの情報処理装置であって、前記条件判定部が前記画像差替条件を満たす画像があると判定したときに出力する画像は、前記画像選択が選択した画像に予め対応付けられた画像であることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
（７）また、この発明のプログラムは、記憶媒体にアクセスするためのアクセス部を備える情報処理装置のコンピュータを、第１の画像群の中から、画像を選択する画像選択部、前記画像選択部が選択した画像に応じた画像差替条件を満たす画像が、前記記憶媒体が記憶する第２の画像群の中にあるか否かを判定し、前記条件を満たす画像があると判定したときは、前記第２の画像群の中にある画像を出力し、前記条件を満たす画像がないと判定したときは、前記画像選択部が選択した画像を出力する条件判定部、前記条件判定部が出力した画像を表示させる表示処理部として機能させる。
【手続補正９】
【補正対象書類名】明細書
【補正対象項目名】００１９
【補正方法】変更
【補正の内容】
【００１９】
（８）また、この発明の画像出力方法は、記憶媒体にアクセスするためのアクセス部を備える情報処理装置における画像表示方法であって、前記情報処理装置が、第１の画像群の中から、画像を選択する第１の過程と、前記情報処理装置が、前記第１の過程にて選択した画像に応じた画像差替条件を満たす画像が、前記記憶媒体が記憶する第２の画像群の中にあるか否かを判定し、前記条件を満たす画像があると判定したときは、前記第２の画像群の中にある画像を出力し、前記条件を満たす画像がないと判定したときは、前記第１の過程にて選択した画像を出力する第２の過程と、前記情報処理装置が、前記第２の過程が出力した画像を表示させる第３の過程とを備えることを特徴とする。
【手続補正１０】
【補正対象書類名】明細書
【補正対象項目名】００３５
【補正方法】変更
【補正の内容】
【００３５】
条件判定部９１４は、画像差替条件を満たす画像があると判定したときは、表示ページ決定部９１２が選択した画像と異なる画像を出力し、画像差替条件を満たす画像がないと判定したときは、表示ページ決定部９１２が選択した画像を読み出して出力する。ここでは、表示ページ決定部９１２が選択した画像と異なる画像として、表示ページ決定部９１２が選択した画像と対応付けて順序データが記憶している元の画像を用いる。レイアウト部９１５は、条件判定部９１４が出力した画像を、所定のレイアウトに従い配置した画像を生成し、ディスプレイ１０１に表示させる。
【手続補正１１】
【補正対象書類名】明細書
【補正対象項目名】００４４
【補正方法】変更
【補正の内容】
【００４４】
条件判定部９１４は、ステップＳ１２０４の比較の結果、画像差替条件を満たす位置情報があるときは（Ｓ１２０５−Ｙｅｓ）、順序テーブルにおいて表示ページ（順番）に対応付けられた元の画像の画像データを取得し、レイアウト部９１５に出力する。一方、ステップＳ１２０４の比較の結果、画像差替条件を満たす位置情報がないときは（Ｓ１２０５―Ｎｏ）、順序テーブルにおいて表示ページ（順番）に対応付けられた加工後の画像の画像データを取得し、レイアウト部９１５に出力する。レイアウト部９１５は、条件判定部９１４から受けた画像をディスプレイ１０１に表示させる。
【手続補正１２】
【補正対象書類名】明細書
【補正対象項目名】００５２
【補正方法】変更
【補正の内容】
【００５２】
＜その他の実施の形態＞
本発明に係るプログラムは、情報処理装置（コンピュータ）のオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
提供されるプログラム製品は、メモリやハードディスクなどのプログラム格納部にインストールされて、ＣＰＵによって実行される。なお、プログラム製品は、プログラム自体と、プログラムが記憶された記憶媒体とを含む。
さらに、本発明に係るプログラムによって実現される機能の一部または全部を専用のハードウェアによって構成してもよい。
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
本発明の情報処理装置は以下の態様で実施をすることができる。この発明の情報処理装置は、上述のいずれかの情報処理装置であって、前記記憶媒体は、当該情報処理装置に着脱自在な外部の記憶媒体であることを特徴とする。
また、この発明の情報処理装置は、上述のいずれかの情報処理装置であって、前記情報処理装置は、その内部に前記記憶媒体をさらに備えることを特徴とする。
また、この発明の情報処理装置は、上述のいずれかの情報処理装置であって、前記第１の画像群は、前記記憶媒体が記憶する旅行ガイドブックに含まれる画像であることを特徴とする。